【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
プロセッサを含んでいるモバイルデバイスであって、前記プロセッサは、命令を記憶するためのメモリを含んでおり、前記命令は、前記プロセッサ上で実行されたときに、前記プロセッサに、
初期値に前記モバイルデバイスのための位置更新時間間隔を設定することと、
前記位置更新時間間隔に従って前記モバイルデバイスの位置を更新することと、
ジオフェンスへ向かう前記モバイルデバイスの速度成分の推定のセットに基づき重みのセットを生成することと、ここにおいて、前記重みのセットは、前記推定のセットのなかの前記速度成分の比較的最近の推定値に対するおよび前記推定のセットのなかの前記速度成分のより大きな大きさ推定値に対する、より高い重みを備える、
前記速度成分の前記推定のセットに前記重みのセットを適用することに基づき、予測された速度成分を生成することと、
前記予測された速度成分および、前記ジオフェンスへの前記モバイルデバイスの距離に基づき、予測された時間間隔を生成することと、
前記予測された時間間隔が前記初期値より小さい場合に、前記予測された時間間隔に前記位置更新時間間隔を設定することと、
を含む手順を、実行させる、モバイルデバイス。
【請求項２】
前記手順はさらに、退出基準のセットが適合した場合に、前記初期値に前記位置更新時間間隔を設定することを備える請求項１のモバイルデバイス。
【請求項３】
前記モバイルデバイスが前記ジオフェンスから立ち去ることを検出された場合、前記退出基準のセットが適合される請求項２のモバイルデバイス。
【請求項４】
前記モバイルデバイスが、前記予測された時間間隔に等しい前記位置更新時間間隔を設定してから、ある規定時間Ｔの間に前記ジオフェンスに進入していない場合、前記退出基準のセットが適合される請求項２のモバイルデバイス。
【請求項５】
前記重みのセットは、Ｗｉにより示され、ここで、ｉ＝１，２，・・・，Ｎであり、およびＮは、前記ジオフェンスへの前記速度成分の推定の数を示し、
前記手順はさらに、
Ｗｉ＝（Ｖｉ＋Ｗｃ）／Ｌｉを評価すること
を備え、ここで、Ｖｉは、瞬時時間ｔｉにおける前記ジオフェンスへ向かう前記速度成分の測定を示し、Ｗｃは一定の重みであり、およびLｉ＝ｔ−ｔｉであり、ここでｔは、前記重みＷｉが計算されている現在の時間である、請求項１のモバイルデバイス。
【請求項６】
時間ｔにおいて前記ジオフェンスへ向かう前記予測された速度成分は、ＶＰ（ｔ）として示され、
前記手順はさらに、
ＶＰ（ｔ）＝（ΣＶｉＷｉ）／ΣＷｉを評価すること
を備え、ここで合計は、ｉ＝１，２，・・・，Ｎにわたる、請求項５のモバイルデバイス。
【請求項７】
前記ジオフェンスは、境界を有しており、および時間ｔにおける前記予測された時間間隔は、ＴＰ（ｔ）として示され、
前記手順はさらに、
ＴＰ（ｔ）＝（ＤＢ（ｔ）−ＸＣ）／ＶＰ（ｔ）を評価すること
を備え、ここでＤＢ（ｔ）は、時間ｔにおける前記ジオフェンスまでの前記モバイルデバイスの前記距離を示し、およびここで、ＸＣは位置調整を試みることが望まれる前記ジオフェンスの前の前記距離を示す、請求項６のモバイルデバイス。
【請求項８】
前記プロセッサは、アプリケーションプロセッサである請求項１のモバイルデバイス。
【請求項９】
前記プロセッサは、モデムである請求項１のモバイルデバイス。
【請求項１０】
モバイルデバイスの位置更新時間間隔を調整するための方法であって、前記方法は、
前記モバイルデバイスにおけるプロセッサに、ジオフェンスクライアントを提供することと、ここにおいて、前記ジオフェンスクライアントは、ジオフェンスおよびパラメータのセットを規定している、
前記ジオフェンスおよび前記パラメータのセットに基づき、位置計算間隔を判断することと、
前記位置計算間隔に前記位置更新時間間隔を設定することと、
前記ジオフェンスへ向かう前記モバイルデバイスの速度成分の推定のセットに基づき重みのセットを生成することと、ここにおいて、前記重みのセットは、前記推定のセットのなかの前記速度成分の比較的最近の推定値に対するおよび前記推定のセットのなかの前記速度成分のより大きな大きさ推定値に対する、より高い重みを備える、
前記速度成分の前記推定のセットに前記重みのセットを適用することに基づき、予測された速度成分を生成することと、
前記予測された速度成分および、前記ジオフェンスへの前記モバイルデバイスの距離に基づき、予測された時間間隔を生成することと、
前記予測された時間間隔が前記位置計算間隔より小さい場合に、前記予測された時間間隔に前記位置更新時間間隔を設定することと、
を備える方法。
【請求項１１】
退出基準のセットが適合した場合に、前記位置計算間隔に前記位置更新時間間隔を設定することをさらに備える、請求項１０の方法。
【請求項１２】
前記モバイルデバイスが前記ジオフェンスから立ち去ることを検出された場合、前記退出基準のセットが適合される請求項１１の方法。
【請求項１３】
前記モバイルデバイスが、前記予測された時間間隔に等しい前記位置更新時間間隔を設定してから、ある規定時間Ｔの間に前記ジオフェンスに進入していない場合、前記退出基準のセットが適合される請求項１１の方法。
【請求項１４】
前記パラメータのセットは、ジオフェンスの破損待ち時間を備える請求項１０の方法。
【請求項１５】
前記パラメータのセットは、破損の信頼性を備える請求項１０の方法。
【請求項１６】
前記重みのセットは、Ｗｉにより示され、ここで、ｉ＝１，２，・・・，Ｎであり、およびＮは、前記ジオフェンスへの前記速度成分の推定の数を示し、
前記方法はさらに、
Ｗｉ＝（Ｖｉ＋Ｗｃ）／Ｌｉ  を評価すること
を備え、ここで、Ｖｉは、瞬時時間ｔｉにおける前記ジオフェンスへ向かう前記速度成分の測定を示し、Ｗｃは一定の重みであり、およびLｉ＝ｔ−ｔｉであり、ここでｔは、前記重みＷｉが計算されている現在の時間である、請求項１０の方法。
【請求項１７】
時間ｔにおいて前記ジオフェンスへ向かう前記予測された速度成分は、ＶＰ（ｔ）として示され、
前記方法はさらに、
ＶＰ（ｔ）＝（ΣＶｉＷｉ）／ΣＷｉを評価すること
を備え、ここで合計は、ｉ＝１，２，・・・，Ｎにわたる、請求項１６の方法。
【請求項１８】
前記ジオフェンスは、境界を有しており、および時間ｔにおける前記予測された時間間隔は、ＴＰ（ｔ）として示され、
前記方法はさらに、
ＴＰ（ｔ）＝（ＤＢ（ｔ）−ＸＣ）／ＶＰ（ｔ）を評価すること
を備え、ここでＤＢ（ｔ）は、時間ｔにおける前記ジオフェンスまでの前記モバイルデバイスの前記距離を示し、およびここで、ＸＣは位置調整を試みることが望まれる前記ジオフェンスの前の前記距離を示す、請求項１７の方法。
【請求項１９】
前記プロセッサは、アプリケーションプロセッサである請求項１０の方法。
【請求項２０】
前記プロセッサは、モデムである請求項１０の方法。
【請求項２１】
記憶された命令を有する非一時的コンピュータ可読記憶媒体であって、前記記憶された命令は、モバイルデバイスのプロセッサによって実行されたときに、前記モバイルデバイスの位置更新時間間隔を調整するための手順を実行するための命令であり、前記手順は、
前記モバイルデバイスにおけるプロセッサに、ジオフェンスクライアントを提供することと、ここにおいて、前記ジオフェンスクライアントは、ジオフェンスおよびパラメータのセットを規定している、
前記ジオフェンスおよび前記パラメータのセットに基づき、位置計算間隔を判断することと、
前記位置計算間隔に前記位置更新時間間隔を設定することと、
前記ジオフェンスへ向かう前記モバイルデバイスの速度成分の推定のセットに基づき重みのセットを生成することと、ここにおいて、前記重みのセットは、前記推定のセットのなかの前記速度成分の比較的最近の推定値に対するおよび前記推定のセットのなかの前記速度成分のより大きな大きさ推定値に対する、より高い重みを備える、
前記速度成分の前記推定のセットに前記重みのセットを適用することに基づき、予測された速度成分を生成することと、
前記予測された速度成分および、前記ジオフェンスへの前記モバイルデバイスの距離に基づき、予測された時間間隔を生成することと、
前記予測された時間間隔が前記位置計算間隔より小さい場合に、前記予測された時間間隔に前記位置更新時間間隔を設定することと、
を備える非一時的コンピュータ可読記憶媒体。
【請求項２２】
前記手順はさらに、退出基準のセットが適合した場合に、初期値に前記位置更新時間間隔を設定することを備える、請求項２１の非一時的コンピュータ可読記憶媒体。
【請求項２３】
前記モバイルデバイスが前記ジオフェンスから立ち去ることを検出された場合、前記退出基準のセットが適合される請求項２２の非一時的コンピュータ可読記憶媒体。
【請求項２４】
前記モバイルデバイスが、前記予測された時間間隔に等しい前記位置更新時間間隔を設定してから、ある規定時間Ｔの間に前記ジオフェンスに進入していない場合、前記退出基準のセットが適合される請求項２２の非一時的コンピュータ可読記憶媒体。
【請求項２５】
前記パラメータのセットは、ジオフェンスの破損待ち時間を備える請求項２１の非一時的コンピュータ可読記憶媒体。
【請求項２６】
前記パラメータのセットは、破損の信頼性を備える請求項２１の非一時的コンピュータ可読記憶媒体。
【請求項２７】
前記重みのセットは、Ｗｉにより示され、ここで、ｉ＝１，２，・・・，Ｎであり、およびＮは、前記ジオフェンスへの前記速度成分の推定の数を示し、
前記手順はさらに、
Ｗｉ＝（Ｖｉ＋Ｗｃ）／Ｌｉ  を評価すること
を備え、ここで、Ｖｉは、瞬時時間ｔｉにおける前記ジオフェンスへ向かう前記速度成分の測定を示し、Ｗｃは一定の重みであり、およびLｉ＝ｔ−ｔｉであり、ここでｔは、前記重みＷｉが計算されている現在の時間である、請求項２１の非一時的コンピュータ可読記憶媒体。
【請求項２８】
時間ｔにおいて前記ジオフェンスへ向かう前記予測された速度成分は、ＶＰ（ｔ）として示され、
前記手順はさらに、
ＶＰ（ｔ）＝（ΣＶｉＷｉ）／ΣＷｉを評価すること
を備え、ここで合計は、ｉ＝１，２，・・・，Ｎにわたる、請求項２７の非一時的コンピュータ可読記憶媒体。
【請求項２９】
前記ジオフェンスは、境界を有しており、および時間ｔにおける前記予測された時間間隔は、ＴＰ（ｔ）として示され、
前記手順はさらに、
ＴＰ（ｔ）＝（ＤＢ（ｔ）−ＸＣ）／ＶＰ（ｔ）を評価すること
を備え、ここでＤＢ（ｔ）は、時間ｔにおける前記ジオフェンスまでの前記モバイルデバイスの前記距離を示し、およびここで、ＸＣは位置調整を試みることが望まれる前記ジオフェンスの前の前記距離を示す、請求項２８の非一時的コンピュータ可読記憶媒体。
【請求項３０】
前記プロセッサは、アプリケーションプロセッサである請求項２１の非一時的コンピュータ可読記憶媒体。
【請求項３１】
前記プロセッサは、モデムである請求項２１の非一時的コンピュータ可読記憶媒体。
【請求項３２】
プロセッサ、および命令を記憶するためのメモリを備えたモバイルデバイスであって、前記命令は、前記プロセッサにおいて実行されたときに、前記プロセッサに、
初期値に前記モバイルデバイスのための位置更新時間間隔を設定するための手段と、
前記位置更新時間間隔に従って前記モバイルデバイスの位置を更新するための手段と、
ジオフェンスへ向かう前記モバイルデバイスの速度成分の推定のセットに基づき重みのセットを生成するための手段と、ここにおいて、前記重みのセットは、前記推定のセットのなかの前記速度成分の比較的最近の推定値に対するおよび前記推定のセットのなかの前記速度成分のより大きな大きさ推定値に対する、より高い重みを備える、
前記速度成分の前記推定のセットに前記重みのセットを適用することに基づき、予測された速度成分を生成するための手段と、
前記予測された速度成分および、前記ジオフェンスへの前記モバイルデバイスの距離に基づき、予測された時間間隔を生成するための手段と、
前記予測された時間間隔が前記位置更新時間間隔より小さい場合に、前記予測された時間間隔に前記位置更新時間間隔を設定するための手段と、
を備える手順を実行させる、モバイルデバイス。
【請求項３３】
前記手順はさらに、退出基準のセットが適合した場合に、前記初期値に前記位置更新時間間隔を設定するための手段を備える請求項３２のモバイルデバイス。
【請求項３４】
前記モバイルデバイスが前記ジオフェンスから立ち去ることを検出された場合、前記退出基準のセットが適合される請求項３３のモバイルデバイス。
【請求項３５】
前記モバイルデバイスが、前記予測された時間間隔に等しい前記位置更新時間間隔を設定してから、ある規定時間Ｔの間に前記ジオフェンスに進入していない場合、前記退出基準のセットが適合される請求項３３のモバイルデバイス。
【請求項３６】
前記重みのセットは、Ｗｉにより示され、ここで、ｉ＝１，２，・・・，Ｎであり、およびＮは、前記ジオフェンスへの前記速度成分の推定の数を示し、
前記手順はさらに、
Ｗｉ＝（Ｖｉ＋Ｗｃ）／Ｌｉ  を評価するための手段
を備え、ここで、Ｖｉは、瞬時時間ｔｉにおける前記ジオフェンスへ向かう前記速度成分の測定を示し、Ｗｃは一定の重みであり、およびLｉ＝ｔ−ｔｉであり、ここでｔは、前記重みＷｉが計算されている現在の時間である、請求項３２のモバイルデバイス。
【請求項３７】
時間ｔにおいて前記ジオフェンスへ向かう前記予測された速度成分は、ＶＰ（ｔ）として示され、
前記手順はさらに、
ＶＰ（ｔ）＝（ΣＶｉＷｉ）／ΣＷｉを評価するための手段
を備え、ここで合計は、ｉ＝１，２，・・・，Ｎにわたる、請求項３６のモバイルデバイス。
【請求項３８】
前記ジオフェンスは、境界を有しており、および時間ｔにおける前記予測された時間間隔は、ＴＰ（ｔ）として示され、
前記手順はさらに、
ＴＰ（ｔ）＝（ＤＢ（ｔ）−ＸＣ）／ＶＰ（ｔ）を評価するための手段
を備え、ここでＤＢ（ｔ）は、時間ｔにおける前記ジオフェンスまでの前記モバイルデバイスの前記距離を示し、およびここで、ＸＣは位置調整を試みることが望まれる前記ジオフェンスの前の前記距離を示す、請求項３７のモバイルデバイス。
【請求項３９】
前記プロセッサは、アプリケーションプロセッサである請求項３２のモバイルデバイス。
【請求項４０】
前記プロセッサは、モデムである請求項３２のモバイルデバイス。
【手続補正２】
【補正対象書類名】明細書
【補正対象項目名】００８３
【補正方法】変更
【補正の内容】
【００８３】
[0092]  上述した開示は、本発明の例示的な実施形態を示している一方、さまざまな変更および修正が、添付された特許請求の範囲によって定義されるような本発明の範囲から逸脱することなくなされうることに注目されるべきである。本明細書に記載される本発明の実施形態にしたがった方法請求項の機能、ステップ、および/または動作は、任意の特定の順序によっても実行される必要はない。さらに、本発明の要素は、単数形で記載または特許請求されているが、単数形へ限定することが明確に述べられていないのであれば、複数形が考慮される。
なお、本願の出願当初の請求項と同一の記載を以下に付記する。
［Ｃ１］  プロセッサを含んでいるモバイルデバイスであって、前記プロセッサは、前記プロセッサ上で実行されたときに、前記プロセッサに、
初期値に前記モバイルデバイスのための位置更新時間間隔を設定することと、
前記位置更新時間間隔に従ってモバイルデバイスの位置を更新することと、
ジオフェンスへ向かう前記モバイルデバイスの速度成分の推定のセットに基づき重みのセットを生成することと、
前記速度成分の前記推定のセットに前記重みのセットを適用することに基づき、予測された速度成分を生成することと、
前記予測された速度成分および、前記ジオフェンスへの前記モバイルデバイスの距離に基づき、予測された時間間隔を生成することと、
前記予測された時間間隔が前記初期値より小さい場合に、前記予測された時間間隔に前記位置更新時間間隔を設定することと、
を含む手順を、実行させる命令を記憶するためのメモリを含んでいる、プロセッサを含んでいるモバイルデバイス。
［Ｃ２］  Ｃ１のモバイルデバイスであって、前記手順はさらに、退出基準のセットが適合した場合に、前記初期値に前記位置更新時間間隔を設定することを備えるＣ１のモバイルデバイス。
［Ｃ３］  Ｃ２のモバイルデバイスであって、ここで前記モバイルデバイスが前記ジオフェンスから立ち去ることを検出された場合、前記退出基準のセットが適合されるＣ２のモバイルデバイス。
［Ｃ４］  Ｃ２のモバイルデバイスであって、ここで前記モバイルデバイスが、前記予測された時間間隔に等しい前記位置更新時間間隔を設定してから、ある規定時間Ｔの間に前記ジオフェンスに進入していない場合、前記退出基準のセットが適合されるＣ２のモバイルデバイス。
［Ｃ５］  Ｃ１のモバイルデバイスであって、
ここで、前記重みのセットは、
ｉ＝１，２，・・・，Ｎであり、およびＮは、前記ジオフェンスへの前記速度成分の予測の数を示すＷｉにより示され、
前記手順はさらに、
Ｗｉ＝（Ｖｉ＋Ｗｃ）／Ｌｉ  を評価することであり、
ここで、Ｖｉは、瞬時時間ｔｉにおける前記ジオフェンスへ向かう前記速度成分の測定を示し、Ｗｃは一定の重みであり、およびLｉ＝ｔ−ｔｉであり、ここでｔは、前記重みＷｉが計算されている現在の時間である、
を備えているＣ１のモバイルデバイス。
［Ｃ６］  Ｃ５のモバイルデバイスであって、
時間ｔにおいて前記ジオフェンスへ向かう前記予測された速度成分は、ＶＰ（ｔ）として示され、
前記手順はさらに、
ＶＰ（ｔ）＝（ΣＶｉＷｉ）／ΣＷｉを評価することであり、ここで合計は、ｉ＝１，２，・・・，Ｎにわたる、
を備えているＣ５のモバイルデバイス。
［Ｃ７］  Ｃ６のモバイルデバイスであって、
ここで前記ジオフェンスは、境界を有しており、および時間ｔにおける前記予測された時間間隔は、ＴＰ（ｔ）として示され、
前記手順はさらに、
ＴＰ（ｔ）＝（ＤＢ（ｔ）−ＸＣ）／ＶＰ（ｔ）を評価することであり、ここでＤＢ（ｔ）は、時間ｔにおける前記ジオフェンスの境界までの前記モバイルデバイスの前記距離を示し、およびここで、ＸＣは位置調整を試みることが望まれる前記ジオフェンスの境界の前の前記距離を示す、
を備えているＣ６のモバイルデバイス。
［Ｃ８］  前記プロセッサは、アプリケーションプロセッサであるＣ１のモバイルデバイス。
［Ｃ９］  前記プロセッサは、モデムであるＣ１のモバイルデバイス。
［Ｃ１０］  モバイルデバイスの位置更新時間間隔を調整するための方法であって、前記方法は、
前記モバイルデバイスにおけるプロセッサに、ジオフェンスクライアントを提供することであって、ここで前記ジオフェンスクライアントは、ジオフェンスおよびパラメータのセットを規定している、提供することと、
前記ジオフェンスおよび前記パラメータのセットに基づき、位置計算間隔を判断することと、
前記位置計算間隔に前記位置更新時間間隔を設定することと、
前記ジオフェンスへ向かう前記モバイルデバイスの速度成分の推定のセットに基づき重みのセットを生成することと、
前記速度成分の前記推定のセットに前記重みのセットを適用することに基づき、予測された速度成分を生成することと、
前記予測された速度成分および、前記ジオフェンスへの前記モバイルデバイスの距離に基づき、予測された時間間隔を生成することと、
前記予測された時間間隔が前記位置計算間隔より小さい場合に、前記予測された時間間隔に前記位置更新時間間隔を設定することと、
を備える方法。
［Ｃ１１］  Ｃ１０の方法であって、退出基準のセットが適合した場合に、前記初期値に前記位置更新時間間隔を設定することをさらに備える、Ｃ１０の方法。
［Ｃ１２］  Ｃ１１の方法であって、ここで前記モバイルデバイスが前記ジオフェンスから立ち去ることを検出された場合、前記退出基準のセットが適合されるＣ１１の方法。
［Ｃ１３］  Ｃ１１の方法であって、ここで前記モバイルデバイスが、前記予測された時間間隔に等しい前記位置更新時間間隔を設定してから、ある規定時間Ｔの間に前記ジオフェンスに進入していない場合、前記退出基準のセットが適合されるＣ１１の方法。
［Ｃ１４］  Ｃ１０の方法であって、前記パラメータのセットは、ジオフェンスの破損待ち時間を備えるＣ１０の方法。
［Ｃ１５］  Ｃ１０の方法であって、前記パラメータのセットは、破損の信頼性を備えるＣ１０の方法。
［Ｃ１６］  Ｃ１０の方法であって、
ここで、前記重みのセットは、
ｉ＝１，２，・・・，Ｎであり、およびＮは、前記ジオフェンスへの前記速度成分の予測の数を示すＷｉにより示され、
前記方法はさらに、
Ｗｉ＝（Ｖｉ＋Ｗｃ）／Ｌｉ  を評価することであり、
ここで、Ｖｉは、瞬時時間ｔｉにおける前記ジオフェンスへ向かう前記速度成分の測定を示し、Ｗｃは一定の重みであり、およびLｉ＝ｔ−ｔｉであり、ここでｔは、前記重みＷｉが計算されている現在の時間である、
を備えているＣ１０の方法。
［Ｃ１７］  Ｃ１６の方法であって、
時間ｔにおいて前記ジオフェンスへ向かう前記予測された速度成分は、ＶＰ（ｔ）として示され、
前記方法はさらに、
ＶＰ（ｔ）＝（ΣＶｉＷｉ）／ΣＷｉを評価することであり、ここで合計は、ｉ＝１，２，・・・，Ｎにわたる、
を備えているＣ１６の方法。
［Ｃ１８］  Ｃ１７の方法であって、
ここで前記ジオフェンスは、境界を有しており、および時間ｔにおける前記予測された時間間隔は、ＴＰ（ｔ）として示され、
前記方法はさらに、
ＴＰ（ｔ）＝（ＤＢ（ｔ）−ＸＣ）／ＶＰ（ｔ）を評価することであり、ここでＤＢ（ｔ）は、時間ｔにおける前記ジオフェンスの境界までの前記モバイルデバイスの前記距離を示し、およびここで、ＸＣは位置調整を試みることが望まれる前記ジオフェンスの境界の前の前記距離を示す、
を備えているＣ１７の方法。
［Ｃ１９］  前記プロセッサは、アプリケーションプロセッサであるＣ１０の方法。
［Ｃ２０］  前記プロセッサは、モデムであるＣ１０の方法。
［Ｃ２１］  記憶された命令を有するコンピュータ可読記憶媒体であって、前記記憶された命令は、モバイルデバイスのプロセッサによって実行されたときに、前記モバイルのデバイスの位置更新時間間隔を調整するための手順を実行するための命令であり、
前記モバイルデバイスにおけるプロセッサに、ジオフェンスクライアントを提供することであって、ここで前記ジオフェンスクライアントは、ジオフェンスおよびパラメータのセットを規定している、提供することと、
前記ジオフェンスおよび前記パラメータのセットに基づき、位置計算間隔を判断することと、
前記位置計算間隔に前記位置更新時間間隔を設定することと、
前記ジオフェンスへ向かう前記モバイルデバイスの速度成分の推定のセットに基づき重みのセットを生成することと、
前記速度成分の前記推定のセットに前記重みのセットを適用することに基づき、予測された速度成分を生成することと、
前記予測された速度成分および、前記ジオフェンスへの前記モバイルデバイスの距離に基づき、予測された時間間隔を生成することと、
前記予測された時間間隔が前記位置計算間隔より小さい場合に、前記予測された時間間隔に前記位置更新時間間隔を設定することと、
を備えるコンピュータ可読記憶媒体。
［Ｃ２２］  Ｃ２１のコンピュータ可読記憶媒体であって、前記手順はさらに、退出基準のセットが適合した場合に、初期値に前記位置更新時間間隔を設定することを備える、Ｃ２１のコンピュータ可読記憶媒体。
［Ｃ２３］  Ｃ２２のコンピュータ可読記憶媒体であって、ここで前記モバイルデバイスが前記ジオフェンスから立ち去ることを検出された場合、前記退出基準のセットが適合されるＣ２２のコンピュータ可読記憶媒体。
［Ｃ２４］  Ｃ２２のコンピュータ可読記憶媒体であって、ここで前記モバイルデバイスが、前記予測された時間間隔に等しい前記位置更新時間間隔を設定してから、ある規定時間Ｔの間に前記ジオフェンスに進入していない場合、前記退出基準のセットが適合されるＣ２２のコンピュータ可読記憶媒体。
［Ｃ２５］  Ｃ２１のコンピュータ可読記憶媒体であって、前記パラメータのセットは、ジオフェンスの破損待ち時間を備えるＣ２１のコンピュータ可読記憶媒体。
［Ｃ２６］  Ｃ２１のコンピュータ可読記憶媒体であって、前記パラメータのセットは、破損の信頼性を備えるＣ２１のコンピュータ可読記憶媒体。
［Ｃ２７］  Ｃ２１のコンピュータ可読記憶媒体であって、
ここで、前記重みのセットは、
ｉ＝１，２，・・・，Ｎであり、およびＮは、前記ジオフェンスへの前記速度成分の予測の数を示すＷｉにより示され、
前記手順はさらに、
Ｗｉ＝（Ｖｉ＋Ｗｃ）／Ｌｉ  を評価することであり、
ここで、Ｖｉは、瞬時時間ｔｉにおける前記ジオフェンスへ向かう前記速度成分の測定を示し、Ｗｃは一定の重みであり、およびLｉ＝ｔ−ｔｉであり、ここでｔは、前記重みＷｉが計算されている現在の時間である、
を備えているＣ２１のコンピュータ可読記憶媒体。
［Ｃ２８］  Ｃ２７のコンピュータ可読記憶媒体であって、
時間ｔにおいて前記ジオフェンスへ向かう前記予測された速度成分は、ＶＰ（ｔ）として示され、
前記手順はさらに、
ＶＰ（ｔ）＝（ΣＶｉＷｉ）／ΣＷｉを評価することであり、ここで合計は、ｉ＝１，２，・・・，Ｎにわたる、
を備えているＣ２７のコンピュータ可読記憶媒体。
［Ｃ２９］  Ｃ２８のコンピュータ可読記憶媒体であって、
ここで前記ジオフェンスは、境界を有しており、および時間ｔにおける前記予測された時間間隔は、ＴＰ（ｔ）として示され、
前記手順はさらに、
ＴＰ（ｔ）＝（ＤＢ（ｔ）−ＸＣ）／ＶＰ（ｔ）を評価することであり、ここでＤＢ（ｔ）は、時間ｔにおける前記ジオフェンスの境界までの前記モバイルデバイスの前記距離を示し、およびここで、ＸＣは位置調整を試みることが望まれる前記ジオフェンスの境界の前の前記距離を示す、
を備えているＣ２８のコンピュータ可読記憶媒体。
［Ｃ３０］  前記プロセッサは、アプリケーションプロセッサであるＣ２１のコンピュータ可読記憶媒体。
［Ｃ３１］  前記プロセッサは、モデムであるＣ２１のコンピュータ可読記憶媒体。
［Ｃ３２］  プロセッサ、および命令を記憶しているメモリを備えたモバイルデバイスであって、前記プロセッサにおいて実行されたときに、前記プロセッサに、
初期値に前記モバイルデバイスのための位置更新時間間隔を設定するための手段と、
前記位置更新時間間隔に従ってモバイルデバイスの位置を更新するための手段と、
ジオフェンスへ向かう前記モバイルデバイスの速度成分の推定のセットに基づき重みのセットを生成するための手段と、
前記速度成分の前記推定のセットに前記重みのセットを適用することに基づき、予測された速度成分を生成するための手段と、
前記予測された速度成分および、前記ジオフェンスへの前記モバイルデバイスの距離に基づき、予測された時間間隔を生成するための手段と、
前記予測された時間間隔が前記位置更新時間間隔より小さい場合に、前記予測された時間間隔に前記位置更新時間間隔を設定するための手段と、
を備える手順を実行させるモバイルデバイス。
［Ｃ３３］  Ｃ３２のモバイルデバイスであって、前記プロセッサはさらに、退出基準のセットが適合した場合に、前記初期値に前記位置更新時間間隔を設定するための手段を備えるＣ３２のモバイルデバイス。
［Ｃ３４］  Ｃ３３のモバイルデバイスであって、ここで前記モバイルデバイスが前記ジオフェンスから立ち去ることを検出された場合、前記退出基準のセットが適合されるＣ３３のモバイルデバイス。
［Ｃ３５］  Ｃ３３のモバイルデバイスであって、ここで前記モバイルデバイスが、前記予測された時間間隔に等しい前記位置更新時間間隔を設定してから、ある規定時間Ｔの間に前記ジオフェンスに進入していない場合、前記退出基準のセットが適合されるＣ３３のモバイルデバイス。
［Ｃ３６］  Ｃ３２のモバイルデバイスであって、
ここで、前記重みのセットは、
ｉ＝１，２，・・・，Ｎであり、およびＮは、前記ジオフェンスへの前記速度成分の予測の数を示すＷｉにより示され、
前記手順はさらに、
Ｗｉ＝（Ｖｉ＋Ｗｃ）／Ｌｉ  を評価することであり、
ここで、Ｖｉは、瞬時時間ｔｉにおける前記ジオフェンスへ向かう前記速度成分の測定を示し、Ｗｃは一定の重みであり、およびLｉ＝ｔ−ｔｉであり、ここでｔは、前記重みＷｉが計算されている現在の時間である、
を備えているＣ３２のモバイルデバイス
［Ｃ３７］  Ｃ３６のモバイルデバイスであって、
時間ｔにおいて前記ジオフェンスへ向かう前記予測された速度成分は、ＶＰ（ｔ）として示され、
前記手順はさらに、
ＶＰ（ｔ）＝（ΣＶｉＷｉ）／ΣＷｉを評価することであり、ここで合計は、ｉ＝１，２，・・・，Ｎにわたる、
を備えているＣ３６のモバイルデバイス。
［Ｃ３８］  Ｃ３７のモバイルデバイスであって、
ここで前記ジオフェンスは、境界を有しており、および時間ｔにおける前記予測された時間間隔は、ＴＰ（ｔ）として示され、
前記手順はさらに、
ＴＰ（ｔ）＝（ＤＢ（ｔ）−ＸＣ）／ＶＰ（ｔ）を評価することであり、ここでＤＢ（ｔ）は、時間ｔにおける前記ジオフェンスの境界までの前記モバイルデバイスの前記距離を示し、およびここで、ＸＣは位置調整を試みることが望まれる前記ジオフェンスの境界の前の前記距離を示す、
を備えているＣ３７のモバイルデバイス。
［Ｃ３９］  前記プロセッサは、アプリケーションプロセッサであるＣ３２のモバイルデバイス。
［Ｃ４０］  前記プロセッサは、モデムであるＣ３２のモバイルデバイス。